(57)【特許請求の範囲】
【請求項１】
組み立て時に接続される同軸ケーブルの延びる方向と、相手コネクタとの嵌合方向とが略直角をなすＬ型同軸コネクタであって、
端子本体と、組み立て時に前記同軸ケーブルの芯線が圧接される芯線接続部とを有する端子と、
前記端子本体が取り付けられるハウジング本体と、前記端子本体の前記芯線接続部と反対側において前記ハウジング本体から前記嵌合方向における相手コネクタと嵌合される面側とは反対方向である上方に向かって延在する押圧部とを有するハウジングと、
前記ハウジングを収容する収容部と、前記ハウジングの前記押圧部と同一側において前記収容部から前記上方に向かって延在する蓋部とを有する外部導体と、を備え、
前記芯線接続部は、組み立て時に挿入される同軸ケーブルの側に前記端子本体から斜め上方に向かって延在し、さらに、その先端側は、前記上方と逆である下方へ向かって延在することを特徴とするＬ型同軸コネクタ。
【請求項２】
前記端子の前記芯線接続部が、前記端子本体との境界において、前記下方へ押し下げられる際の支点となる凹状溝を有することを特徴とする請求項１に記載のＬ型同軸コネクタ。
【請求項３】
前記端子の前記芯線接続部が、前記端子本体とは反対側において、４５°の向きで前記下方に向かって２度屈曲していることを特徴とする請求項１又は２に記載のＬ型同軸コネクタ。
【請求項４】
前記ハウジングは、前記端子本体の前記芯線接続部側においてハウジング本体から同軸ケーブルの延びる方向へ延在する支持部を備え、
前記支持部は、前記芯線接続部よりも前記下方に位置することを特徴とする請求項１から３に記載のＬ型同軸コネクタ。
【請求項５】
接続された同軸ケーブルの延びる方向と、相手コネクタとの嵌合方向とが略直角をなすＬ型同軸コネクタであって、
同軸ケーブルと、
端子本体と、前記同軸ケーブルの芯線が圧接される芯線接続部とを有する端子と、
前記端子本体が取り付けられるハウジング本体と、前記端子本体の前記芯線接続部と反対側において前記ハウジング本体から同軸ケーブルの延びる方向へ延在する押圧部とを有するハウジングと、
前記ハウジングを収容する収容部と、前記ハウジングの前記押圧部と同一側において前記収容部から同軸ケーブルの延びる方向へ延在する蓋部とを有する外部導体と、を備え、
前記ハウジングは、前記端子本体の前記芯線接続部側においてハウジング本体から同軸ケーブルの延びる方向へ延在する支持部を備え、
前記同軸ケーブルの前記嵌合方向における相手コネクタに向かう方向である下方側は前記支持部により支持され、前記支持部に支持された同軸ケーブルの前記下方と逆である上方側の前記同軸ケーブルは、前記芯線接続部により圧接されており、
前記端子の前記芯線接続部が、前記端子本体とは反対側において、４５°の向きで前記下方に向かって２度屈曲していることを特徴とするＬ型同軸コネクタ。
【請求項６】
組み立て時に接続される同軸ケーブルの延びる方向と、相手コネクタとの嵌合方向とが略直角をなすＬ型同軸コネクタの製造方法であって、
端子本体と、組み立て時に前記同軸ケーブルの芯線が圧接される芯線接続部とを有する端子と、
前記端子本体が取り付けられるハウジング本体と、前記端子本体の前記芯線接続部と反対側において前記ハウジング本体から前記嵌合方向における相手コネクタと嵌合される面側とは反対方向である上方に向かって延在する押圧部とを有するハウジングと、
前記ハウジングを収容する収容部と、前記ハウジングの前記押圧部と同一側において前記収容部から前記上方に向かって延在する蓋部とを有する外部導体と、を備え、
組み立て時に前記蓋部が前記収容部の側に折り曲げられると、前記押圧部が前記蓋部に追随して折り曲げられ、前記押圧部によって前記上方と逆である下方に押し下げられた前記芯線接続部が前記芯線を圧接することを特徴とするＬ型同軸コネクタの製造方法。
【請求項７】
前記ハウジングは、前記端子本体の前記芯線接続部側においてハウジング本体から同軸ケーブルの延びる方向へ延在する支持部を備え、
前記支持部は、前記下方から同軸ケーブルを支持することを特徴とする請求項６に記載のＬ型同軸コネクタの製造方法。
【発明の詳細な説明】
【技術分野】
【０００１】
本発明は、同軸ケーブルの端部に取り付けられるＬ型同軸コネクタおよびその製造方法に関する。
【背景技術】
【０００２】
組み立て時に接続される同軸ケーブルの延びる方向と、相手コネクタとの嵌合方向とが略直角をなすＬ型同軸コネクタが知られている。この種のＬ型同軸コネクタは、同軸ケーブルの芯線に接続される端子と、該端子を収容するハウジングと、該ハウジングを収容し、且つ同軸ケーブルのシールド線に接続される外部導体と、を備えており、同軸ケーブルの芯線と端子との接続方式としては、半田付け方式、挟み込み方式及び圧接方式が公知である。
【０００３】
半田付け方式及び挟み込み方式は、端子に接続する芯線の先端部を予め同軸ケーブルの内部絶縁体から露出させる必要があるので、露出させた芯線先端部の品質管理が必要であり、また、半田付け方式は、作業スキルへの依存性が高いため、品質にバラツキが生じ易いという問題がある。一方、圧接方式では、端子の芯線接続部が内部絶縁体を突き破って芯線を圧接するので、芯線の先端部を予め内部絶縁体から露出させる必要がないだけでなく、作業スキルへの依存性を低減して品質のバラツキも抑制することができる（例えば、特許文献１参照）。
【先行技術文献】
【特許文献】
【０００４】
【特許文献１】特開２０１０−８０２６２号公報
【発明の概要】
【発明が解決しようとする課題】
【０００５】
近年、電子機器の小型化に伴い、Ｌ型同軸コネクタの低背化が求められている。例えば、同軸ケーブルの外径（外皮の外径）と同等の嵌合高さ（相手コネクタとの嵌合方向の高さ）まで低背化されたＬ型同軸コネクタ、換言すると、嵌合高さと同等の外径を有する同軸ケーブルとの接続が可能なＬ型同軸コネクタが要求されている。しかしながら、特許文献１に示されるＬ型同軸コネクタでは、外部導体が、ハウジングの上方を覆う蓋部だけでなく、その左右両側から下方に延在するかしめ部を有し、該かしめ部を内側に折り曲げてハウジングの下方を覆うことにより組み立てられるので、嵌合高さが同軸ケーブルの外径に比して大きくなり、上記の要求を満たすことは困難である。
【０００６】
そこで、本発明は、上記の問題点に鑑みなされたものであって、その目的は、端子を同軸ケーブルの芯線に圧接させるものでありながら、嵌合高さと同等の外径を有する同軸ケーブルとの接続が可能なＬ型同軸コネクタおよびその製造方法を提供することにある。
【課題を解決するための手段】
【０００７】
本発明は上記目的を達成するために提案されたものであり、本発明に係る第１の態様は、組み立て時に接続される同軸ケーブルの延びる方向と、相手コネクタとの嵌合方向とが略直角をなすＬ型同軸コネクタであって、端子本体と、組み立て時に同軸ケーブルの芯線が圧接される芯線接続部とを有する端子と、端子本体が取り付けられるハウジング本体と、端子本体の芯線接続部と反対側においてハウジング本体から上方に向かって延在する押圧部とを有するハウジングと、ハウジングを収容する収容部と、ハウジングの押圧部と同一側において収容部から上方に向かって延在する蓋部とを有する外部導体と、を備え、芯線接続部は、組み立て時に挿入される同軸ケーブルの側に端子本体から斜め上方に向かって延在し、さらに、その先端側は、下方へ向かって延在する。
【０００８】
また、端子の芯線接続部が、端子本体との境界において、押し下げられる際の支点となる凹状溝を有してもよい。
【０００９】
また、端子の芯線接続部が、端子本体とは反対側において、４５°の向きで下方に向かって２度屈曲していてもよい。
【００１０】
また、ハウジングは、端子本体の芯線接続部側においてハウジング本体から同軸ケーブルの延びる方向へ延在する支持部を備え、支持部は、芯線接続部よりも下方に位置してもよい。
【００１１】
また、本発明の他の実施の態様は、接続された同軸ケーブルの延びる方向と、相手コネクタとの嵌合方向とが略直角をなすＬ型同軸コネクタであって、同軸ケーブルと、端子本体と、同軸ケーブルの芯線が圧接される芯線接続部とを有する端子と、端子本体が取り付けられるハウジング本体と、端子本体の芯線接続部と反対側においてハウジング本体から同軸ケーブルの延びる方向へ延在する押圧部とを有するハウジングと、ハウジングを収容する収容部と、ハウジングの押圧部と同一側において収容部から同軸ケーブルの延びる方向へ延在する蓋部とを有する外部導体と、を備え、ハウジングは、端子本体の芯線接続部側においてハウジング本体から同軸ケーブルの延びる方向へ延在する支持部を備え、同軸ケーブルの下方側は支持部により支持され、その上方側は、芯線接続部により圧接されている。
【００１２】
また、端子の芯線接続部が、端子本体とは反対側において、４５°の向きで下方に向かって２度屈曲していてもよい。
【００１３】
さらに、本発明のＬ型同軸コネクタの製造方法では、組み立て時に接続される同軸ケーブルの延びる方向と、相手コネクタとの嵌合方向とが略直角をなすＬ型同軸コネクタの製造方法であって、端子本体と、組み立て時に同軸ケーブルの芯線が圧接される芯線接続部とを有する端子と、端子本体が取り付けられるハウジング本体と、端子本体の芯線接続部と反対側においてハウジング本体から上方に向かって延在する押圧部とを有するハウジングと、ハウジングを収容する収容部と、ハウジングの押圧部と同一側において収容部から上方に向かって延在する蓋部とを有する外部導体と、を備え、組み立て時に蓋部が収容部の側に折り曲げられると、押圧部が蓋部に追随して折り曲げられ、押圧部によって下方に押し下げられた芯線接続部が芯線を圧接する。
【００１４】
また、この製造方法では、ハウジングは、端子本体の芯線接続部側においてハウジング本体から同軸ケーブルの延びる方向へ延在する支持部を備え、支持部は、下方から同軸ケーブルを支持してもよい。
【発明の効果】
【００１５】
本発明によれば、端子を同軸ケーブルの芯線に圧接させるＬ型同軸コネクタでありながら、嵌合高さと同等の外径を有する同軸ケーブルとの接続が可能になり、また、そのＬ型同軸コネクタを容易に製造することができる。
【図面の簡単な説明】
【００１６】
【図１】本発明の実施形態に係るＬ型同軸コネクタの同軸ケーブルと接続する前の状態を示す斜視図である。
【図２】同軸ケーブルと接続した状態を示すＬ型同軸コネクタの斜視図である。
【図３】（ａ）は端子の上面図、（ｂ）は端子の正面図、（ｃ）は端子の右側面図、（ｄ）は端子の背面図、（ｅ）は端子の下面図である。
【図４】端子の斜視図である。
【図５】（ａ）はハウジングの上面図、（ｂ）はハウジングの正面図、（ｃ）はハウジングの右側面図、（ｄ）はハウジングの背面図、（ｅ）はハウジングの下面図である。
【図６】ハウジングの斜視図である。
【図７】（ａ）は外部導体の上面図、（ｂ）は外部導体の正面図、（ｃ）は外部導体の右側面図、（ｄ）は外部導体の背面図、（ｅ）は外部導体の下面図である。
【図８】外部導体の斜視図である。
【図９】ハウジングに端子を圧入した状態を示す斜視図である。
【図１０】自動組立機による端子の圧入工程を示す説明図であり、（ａ）は圧入前の状態を示す斜視図、（ｂ）は圧入後の状態を示す斜視図である。
【図１１】自動組立機で複数の端子を連続又は同時に圧入する場合を示す斜視図である。
【図１２】ハウジングを外部導体に装着する工程を示す斜視図である。
【図１３】自動組立機で複数のハウジングを連続又は同時に装着する場合を示す斜視図である。
【図１４】外部導体の蓋部を折り曲げる過程で端子の芯線接続部が同軸ケーブルの芯線を圧接することを示す説明図であり、（ａ）は蓋部を折り曲げる前の状態を示すＡ−Ａ断面図、（ｂ）は蓋部を折り曲げる途中の状態を示すＡ−Ａ断面図、（ｃ）は蓋部を折り曲げが完了した状態を示すＡ−Ａ断面図である。
【図１５】外部導体の蓋部を折り曲げる過程で外部導体の補強部が同軸ケーブルのシールド線に当接されることを示す説明図であり、（ａ）は蓋部を折り曲げる前の状態を示すＢ−Ｂ断面図、（ｂ）は蓋部を折り曲げる途中の状態を示すＢ−Ｂ断面図、（ｃ）は蓋部を折り曲げが完了した状態を示すＢ−Ｂ断面図である。
【発明を実施するための形態】
【００１７】
以下、本発明に係る好適な実施形態について、図面を参照しながら詳細に説明する。なお、実施形態の説明の全体を通じて同じ要素には同じ符号を付して説明する。また、Ｌ型同軸コネクタは、同軸ケーブルが挿入される面を正面、その反対側を背面、正面側から見て右側に連続する面を右側面、正面側から見て左側に連続する面を左側面、相手コネクタと嵌合される面を下面、その反対側を上面とする。また、背面から正面に向かう方向を前方、その逆を後方、下面から上面に向かう方向を上方、その逆を下方、右側面から左側面に向かう方向を左側方、その逆を右側方として説明する。ただし、Ｌ型同軸コネクタの姿勢が変化した場合には、姿勢の変化に応じて変更して解釈されるべきものである。
【００１８】
［Ｌ型同軸コネクタ］
図１及び図２に示すように、本発明の実施形態に係るＬ型同軸コネクタ１は、組み立て時に接続される同軸ケーブル２の延びる方向Ｘと、図示しない相手コネクタとの嵌合方向Ｚとが略直角をなすものであり、ハウジング１１、端子５１及び外部導体６１を備える。また、Ｌ型同軸コネクタ１に接続される同軸ケーブル２は、芯線３と、芯線３の外周側を覆う内部絶縁体４と、内部絶縁体４の外周に沿って編組されるシールド線５と、シールド線５の外周側を覆う外皮６とを備える。
【００１９】
［端子］
図３及び図４に示すように、端子５１は、導電性の板材を打ち抜き及び曲げ加工して形成されており、端子本体５２と、組み立て時に挿入される同軸ケーブル２の側に端子本体５２から斜め上方に向かって延在し、組み立て時に同軸ケーブル２の芯線３が圧接される芯線接続部５３とを有する。
【００２０】
端子本体５２は、ハウジング１１に圧入される圧入部５２ａと、その左右両端部から下方に延在する一対の接点部５２ｂとを有しており、接点部５２ｂは、Ｌ型同軸コネクタ１が相手コネクタに嵌合した際、相手コネクタの内側接点に接触して導通される。
【００２１】
芯線接続部５３は、端子本体５２との境界から斜め上方に延在する基部５３ａと、基部５３ａの先端から４５°の向きで下方（基部５３ａに対する相対的な方向）に向かって屈曲する第１屈曲部５３ｂと、第１屈曲部５３ｂの先端から４５°の向きで下方（第１屈曲部５３ｂに対する相対的な方向）に向かって屈曲する第２屈曲部５３ｃと、第２屈曲部５３ｃ及び第１屈曲部５３ｂの左右中心部に切込み状に形成される芯線導入溝５３ｄとを有する。つまり、芯線接続部５３は、端子本体５２とは反対側において、４５°の向きで下方に向かって２度屈曲した形状を有する。また、第２屈曲部５３ｃの先端は、芯線導入溝５３ｄから芯線接続部５３の幅方向の外側に向かってテーパ状に形成されている。
【００２２】
そして、芯線接続部５３は、組み立て時に下方に押し下げられることにより、同軸ケーブル２の芯線３を圧接する。具体的には、第２屈曲部５３ｃの先端部が同軸ケーブル２の内部絶縁体４を突き破り、芯線導入溝５３ｄ内に芯線３を挟み込む状態で芯線接続部５３が同軸ケーブル２の芯線３に接続される。また、第２屈曲部５３ｃの先端はテーパ状に形成されているため、内部絶縁体４を芯線導入溝５３ｄに確実にガイドし、かつ、突き破りやすい。
【００２３】
また、本実施形態の芯線接続部５３は、端子本体５２との境界において、押し下げられる際の支点となる凹状溝５３ｅを有する。このような凹状溝５３ｅによれば、組み立て時に芯線接続部５３を押し下げる際、その押し下げ荷重を軽減できるとともに、端子５１を所定の位置で正確に曲げ変形させることができる。
【００２４】
［ハウジング］
図５及び図６に示すように、ハウジング１１は、樹脂成形部品であり、端子５１の端子本体５２が取り付けられるハウジング本体１２と、ハウジング本体１２の前方（芯線接続部５３の延在方向）に形成されるケーブルセット部１３と、ハウジング本体１２の後方から上方に向かって延在する押圧部１４とを有する。
【００２５】
ハウジング本体１２は、端子本体５２の圧入部５２ａが上方から圧入される圧入凹部１２ａと、圧入された端子本体５２の接点部５２ｂを下面側に露出させる接点開口部１２ｂと、上端部から左右外側方に突設される係合凸部１２ｃとを有しており、また、ハウジング本体１２の後方から上方に向かって延在する押圧部１４は、その基部としての基端部を支点とする弾性変形に基づいて前方に折り曲げ自在となっている。
【００２６】
ケーブルセット部１３は、組み立て時に同軸ケーブル２の先端部がセットされる部分であり、同軸ケーブル２の芯線３及び内部絶縁体４の先端面が突き当てられる突き当て面部１３ａと、内部絶縁体４の下面側を支える支持部としての底面部１３ｂと、内部絶縁体４の左右側方を覆う左右の側壁部１３ｃと、側壁部１３ｃの外側面に突設される係合爪部１３ｄとを有する。
【００２７】
［外部導体］
図７及び図８に示すように、外部導体６１は、導電性の板材を打ち抜き及び曲げ加工して形成されており、ハウジング１１を収容する収容部６２と、ハウジング１１の押圧部１４と同一側において収容部６２の後方であって、その上縁から上方に向かって延在する蓋部６３と、蓋部６３の先端側に形成され、組み立て時に同軸ケーブル２のシールド線５を圧着するシールド線圧着部６４と、組み立て時に同軸ケーブル２の外皮６を圧着する外皮圧着部６５とを有する。
【００２８】
収容部６２は、ハウジング１１を上方から装着可能な平面視Ｕ字形状であり、Ｌ型同軸コネクタ１が相手コネクタに嵌合した際、相手コネクタの外側接点に接触して導通される接点部６２ａと、組み立て時にハウジング１１の係合凸部１２ｃと係合する係合凹部６２ｂと、組み立て時にハウジング１１の係合爪部１３ｄと係合する係合凹部６２ｃとを有する。さらに、収容部６２は、その前端（すなわち、自由端）から前方に延在する左右の補強部６２ｄを有しており、左右の補強部６２ｄは、組み立て時にシールド線５の左右側面に対向配置される。また、補強部６２ｄの内側には、シールド線５に当接して同軸ケーブル２を抜け止めするための凹凸面６２ｅが形成されている。
【００２９】
蓋部６３は、基部に折り曲げ部６３ａを有し、組み立て時に折り曲げ部６３ａを支点として前方（収容部６２側）に折り曲げられることにより、収容部６２の上方を覆う。蓋部６３の左右両側には、組み立て状態で下方に延在する第１係合部６３ｂ及び第２係合部６３ｃが形成されており、第１係合部６３ｂは、収容部６２の左右を支持することが可能な係合爪６３ｄを有し、第２係合部６３ｃは、蓋部６３の折り曲げ時に収容部６２の下縁に係合して折り曲げ状態を維持する係合爪６３ｅを有する。
【００３０】
シールド線圧着部６４は、蓋部６３を折り曲げたとき、シールド線５の上面側に沿う上面部６４ａと、上面部６４ａの左右両端から下方に延在してシールド線５の左右側面に沿い、左右外側方から中央側への曲げ加工（かしめ加工）によりシールド線５を圧着する圧着部６４ｂとを有する。曲げ加工前における左右の圧着部６４ｂは、均等な間隔ではなく、圧着部６４ｂの基部側と比べて先端側ほど間隔が広い末広がり状に形成されている。
【００３１】
外皮圧着部６５は、蓋部６３を折り曲げたとき、外皮６の上面側に沿う円弧部６５ａと、円弧部６５ａの左右両端から下方に延在して外皮６の左右側面に沿い、左右外側方から中央側への曲げ加工（かしめ加工）により外皮６を圧着する圧着部６５ｂとを有する。曲げ加工前における左右の圧着部６５ｂは、均等な間隔ではなく、先端側ほど間隔が広い末広がり状に形成されている。また、外皮圧着部６５の内側には、外皮６に当接して同軸ケーブル２を抜け止めするための凹凸面６５ｃが形成されている。
【００３２】
［組み立て手順］
つぎに、Ｌ型同軸コネクタ１の組み立て手順について、図９〜図１５を参照して説明する。ただし、同軸ケーブル２には、先端側から順番に、内部絶縁体４の外周面を露出させた内部絶縁体露出部２ａと、シールド線５の外周面を露出させたシールド線露出部２ｂとが予め加工されているものとする。
【００３３】
［端子圧入工程］
図９及び図１０に示すように、Ｌ型同軸コネクタ１を組み立てる際には、まず、端子５１をハウジング１１のハウジング本体１２に上方から圧入する端子圧入工程を行う。図１０及び図１１に示すように、この端子圧入工程を自動組立機で行う場合は、キャリアＣ１が接続された状態で端子５１を製造するとともに、キャリアＣ１と端子５１との間に分離用の分離部５９を形成し、また、キャリアＣ２が接続された状態でハウジング１１を製造するとともに、キャリアＣ２とハウジング１１との間に分離用の分離部１９を形成しておく。そして、自動組立機においては、同一ピッチで並ぶ複数の端子５１及びハウジング１１を連続的に供給すると、ハウジング１１に対する端子５１の圧入が自動的に実行された後、端子５１がキャリアＣ１から分離される。
【００３４】
［ハウジング装着工程］
図１２に示すように、端子圧入工程の後は、端子５１が圧入されたハウジング１１を、外部導体６１の収容部６２に上方から嵌合状に装着するハウジング装着工程が行われる。このとき、ハウジング１１の係合凸部１２ｃが外部導体６１の係合凹部６２ｂに係合するとともに、ハウジング１１の係合爪部１３ｄが外部導体６１の係合凹部６２ｃに係合することにより、外部導体６１に対するハウジング１１の位置決め及び抜け止めが行われる。図１３に示すように、このハウジング装着工程を自動組立機で行う場合は、キャリアＣ３が接続された状態で外部導体６１を製造するとともに、キャリアＣ３と外部導体６１との間に分離用の分離部６９を形成しておく。また、端子圧入工程で端子５１が圧入されたハウジング１１は、キャリアＣ２に接続された状態であるが、キャリアＣ２同士は分離させておく。そして、自動組立機においては、外部導体６１のピッチに合わせてハウジング１１を連続的に供給すると、外部導体６１に対するハウジング１１の装着が自動的に実行された後、ハウジング１１及び外部導体６１がキャリアＣ２、Ｃ３から分離され、図１に示す状態のＬ型同軸コネクタ１が得られる。
【００３５】
［外部導体折り曲げ工程］
図１４の（ａ）に示すように、Ｌ型同軸コネクタ１に同軸ケーブル２を接続する際には、まず、同軸ケーブル２の先端部（内部絶縁体露出部２ａ）をハウジング１１のケーブルセット部１３に挿入状にセットする。このとき、同軸ケーブル２の芯線３及び内部絶縁体４の先端面がケーブルセット部１３の突き当て面部１３ａに突き当てられるとともに、内部絶縁体４の下面側が底面部１３ｂで支えられる。
【００３６】
図１４の（ａ）及び（ｂ）に示すように、同軸ケーブル２の先端部をハウジング１１のケーブルセット部１３にセットしたら、外部導体６１の蓋部６３を前方（収容部６２側）に折り曲げる。蓋部６３を前方に折り曲げると、ハウジング１１の押圧部１４が蓋部６３の下面に押されて追随状に折り曲げられるとともに、押圧部１４が端子５１の芯線接続部５３を押し下げる。図１４の（ｃ）に示すように、押圧部１４によって下方に押し下げられた芯線接続部５３は、その基端部に形成された凹状溝５３ｅを支点として下方に曲げ変形されるとともに、先端部が同軸ケーブル２の内部絶縁体４を突き破り、芯線導入溝５３ｄ内に芯線３を挟み込む状態で芯線３に接続される。ここで芯線接続部５３は、前述したように４５°の向きで下方に向かって２度屈曲した形状を有するので、内部絶縁体４を良好に突き破ることができるだけでなく、先端部（第２屈曲部５３ｃ）を芯線３に対して９０°の向きで圧接させることができる。そして、外部導体６１の蓋部６３を所定の下限位置まで折り曲げると、蓋部６３の第２係合部６３ｃに形成される係合爪６３ｅが収容部６２の下縁に係合して折り曲げ状態が維持される。なお、芯線接続部５３の屈曲する各角度は、同軸ケーブル２や端子５１の種類または寸法等に応じて適宜変更することができる。
【００３７】
図１５に示すように、外部導体折り曲げ工程では、端子５１の芯線接続部５３を同軸ケーブル２の芯線３に圧接させるだけでなく、外部導体６１の補強部６２ｄを同軸ケーブル２のシールド線５に当接させる。つまり、図１５の（ａ）に示すように、外部導体６１に形成された左右の補強部６２ｄは、同軸ケーブル２の外皮６の外径程度の間隔、または、同軸ケーブル２のシールド線５の外径よりも大きい間隔を介して互いに対向しており、ハウジング１１のケーブルセット部１３に同軸ケーブル２の先端部をセットした状態では、シールド線５の左右側面部と隙間を介して対向している。この状態で、蓋部６３を前方に折り曲げると、図１５の（ｂ）及び（ｃ）に示すように、曲げ加工前における左右の圧着部６４ｂは、均等な間隔ではなく、圧着部６４ｂの基部側と比べて先端側ほど間隔が広い末広がり状に形成されており、また、左右の圧着部６４ｂの基部側の間隔は、左右の補強部６２ｄの間隔より狭く形成されているため、蓋部６３の先端側に形成されるシールド線圧着部６４が補強部６２ｄを中央側に押し込んでシールド線５に当接させる。これにより、補強部６２ｄの内側に形成される凹凸面６２ｅがシールド線５に当接してＬ型同軸コネクタ１のケーブル引き上げ強度や引き抜き強度が高められ、同軸ケーブル２を確実に保持することができる。
【００３８】
［ケーブル圧着工程］
図１５の（ｃ）に示すように、蓋部折り曲げ工程の後は、シールド線圧着部６４及び外皮圧着部６５のかしめ加工によるケーブル圧着工程が行われる。具体的には、シールド線圧着部６４の先端側を左右外側方から中央側へ曲げ加工してシールド線５に圧着させるとともに、外皮圧着部６５の先端側を左右外側方から中央側へ曲げ加工して外皮６に圧着させる。以上でＬ型同軸コネクタ１の組み立てが完了する。そして、図１４の（ｃ）に示すように、組み立て後におけるハウジング１１の嵌合方向の高さは、同軸ケーブル２のシールド線５の外径以下であり、外部導体６１の嵌合方向の高さは、同軸ケーブル２の外皮６の外径とほぼ同等である。
【００３９】
以上に述べた実施形態によれば、組み立て時に接続される同軸ケーブル２の延びる方向Ｘと、相手コネクタとの嵌合方向Ｚとが略直角をなすＬ型同軸コネクタ１であって、端子本体５２と、組み立て時に同軸ケーブル２の芯線３が圧接される芯線接続部５３とを有する端子５１と、端子本体５２が取り付けられるハウジング本体１２と、端子本体５２の芯線接続部５３と反対側においてハウジング本体１２から上方に向かって延在する押圧部１４とを有するハウジング１１と、ハウジング１１を収容する収容部６２と、ハウジング１１の押圧部１４と同一側において収容部６２から上方に向かって延在する蓋部６３とを有する外部導体６１と、を備え、芯線接続部５３は、組み立て時に挿入される同軸ケーブル２の側に端子本体５２から斜め上方に向かって延在し、さらに、その先端側は、下方へ向かって延在するＬ型同軸コネクタ１でありながら、ハウジングの上下を外部導体で覆う従来のＬ型同軸コネクタに比べて大幅な低背化を実現し、嵌合高さと同等の外径を有する同軸ケーブル２との接続が可能になる。
【００４０】
また、端子５１の芯線接続部５３が、端子本体５２との境界において、押し下げられる際の支点となる凹状溝５３ｅを有するので、組み立て時に芯線接続部５３を押し下げる際、その押し下げ荷重を軽減できるとともに、端子５１を所定の位置で正確に曲げ変形させることができる。
【００４１】
また、端子５１の芯線接続部５３が、端子本体５２とは反対側において、４５°の向きで下方に向かって２度屈曲しているので、押し下げ時に同軸ケーブル２の内部絶縁体４を良好に突き破ることができるだけでなく、先端部（第２屈曲部５３ｃ）を芯線３に対して９０°の向きで圧接させることができる。
【００４２】
また、ハウジング１１は、端子本体５２の芯線接続部５３側においてハウジング本体１２から同軸ケーブル２の延びる方向へ延在する支持部１３ｂを備え、支持部１３ｂは、芯線接続部５３よりも下方に位置しているので、同軸ケーブル２と芯線接続部５３との接続が確実で、かつ、容易となる。
【００４３】
また、本発明の他の実施の態様は、接続された同軸ケーブル２の延びる方向Ｘと、相手コネクタとの嵌合方向Ｚとが略直角をなすＬ型同軸コネクタ１であって、同軸ケーブル２と、端子本体５２と、同軸ケーブル２の芯線３が圧接される芯線接続部５３とを有する端子５１と、端子本体５２が取り付けられるハウジング本体１２と、端子本体５２の芯線接続部５３と反対側においてハウジング本体１２から同軸ケーブル２の延びる方向Ｘへ延在する押圧部１４とを有するハウジング１１と、ハウジング１１を収容する収容部６２と、ハウジング１１の押圧部１４と同一側において収容部６２から同軸ケーブル２の延びる方向Ｘへ延在する蓋部６３とを有する外部導体６１と、を備え、ハウジング１１は、端子本体５２の芯線接続部５３側においてハウジング本体１２から同軸ケーブル２の延びる方向Ｘへ延在する支持部１３ｂを備え、同軸ケーブル２の下方側は支持部１３ｂにより支持され、その上方側は、芯線接続部５３により圧接されているＬ型同軸コネクタ１でありながら、ハウジングの上下を外部導体で覆う従来のＬ型同軸コネクタに比べて大幅な低背化を実現し、嵌合高さと同等の外径を有する同軸ケーブル２との接続が可能になる。
【００４４】
また、端子５１の芯線接続部５３が、端子本体５２とは反対側において、４５°の向きで下方に向かって２度屈曲しているので、押し下げ時に同軸ケーブル２の内部絶縁体４を良好に突き破ることができるだけでなく、先端部（第２屈曲部５３ｃ）を芯線３に対して９０°の向きで圧接させることができる。
【００４５】
さらに、本発明のＬ型同軸コネクタ１の製造方法では、組み立て時に接続される同軸ケーブル２の延びる方向Ｘと、相手コネクタとの嵌合方向Ｚとが略直角をなすＬ型同軸コネクタ１の製造方法であって、端子本体５２と、組み立て時に同軸ケーブル２の芯線３が圧接される芯線接続部５３とを有する端子５１と、端子本体５２が取り付けられるハウジング本体１２と、端子本体５２の芯線接続部５３と反対側においてハウジング本体１２から上方に向かって延在する押圧部１４とを有するハウジング１１と、ハウジング１１を収容する収容部６２と、ハウジング１１の押圧部１４と同一側において収容部６２から上方に向かって延在する蓋部６３とを有する外部導体６１と、を備え、組み立て時に蓋部６３が収容部６２の側に折り曲げられると、押圧部１４が蓋部６３に追随して折り曲げられ、押圧部１４によって下方に押し下げられた芯線接続部５３が芯線３を圧接するＬ型同軸コネクタ１の製造方法でありながら、ハウジングの上下を外部導体で覆う従来のＬ型同軸コネクタに比べて大幅な低背化を実現し、嵌合高さと同等の外径を有する同軸ケーブル２との接続が可能になり、また、容易に製造することができる。
【００４６】
また、その製造方法では、ハウジング１１は、端子本体５２の芯線接続部５３側においてハウジング本体１２から同軸ケーブル２の延びる方向へ延在Ｘする支持部１３ｂを備え、支持部１３ｂは、下方から同軸ケーブルを支持しているので、同軸ケーブル２との接続が確実、かつ、容易であり、また、容易に製造することができる。
【００４７】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【００４８】
１…Ｌ型同軸コネクタ、２…同軸ケーブル、２ａ…内部絶縁体露出部、２ｂ…シールド線露出部、３…芯線、４…内部絶縁体、５…シールド線、６…外皮、１１…ハウジング、１２…ハウジング本体、１２ａ…圧入凹部、１２ｂ…接点開口部、１２ｃ…係合凸部、１３…ケーブルセット部、１３ａ…突き当て面部、１３ｂ…底面部（支持部）、１３ｃ…側壁部、１３ｄ…係合爪部、１４…押圧部、１９…分離部、５１…端子、５２…端子本体、５２ａ…圧入部、５２ｂ…接点部、５３…芯線接続部、５３ａ…基部、５３ｂ…第１屈曲部、５３ｃ…第２屈曲部、５３ｄ…芯線導入溝、５３ｅ…凹状溝、５９…分離部、６１…外部導体、６２…収容部、６２ａ…接点部、６２ｂ…係合凹部、６２ｃ…係合凹部、６２ｄ…補強部、６２ｅ…凹凸面、６３…蓋部、６３ａ…折り曲げ部、６３ｂ…第１係合部、６３ｃ…第２係合部、６３ｄ…係合爪、６３ｅ…係合爪、６４…シールド線圧着部、６４ａ…上面部、６４ｂ…圧着部、６５…外皮圧着部、６５ａ…円弧部、６５ｂ…圧着部、６５ｃ…凹凸面、６９…分離部、Ｃ１、Ｃ２、Ｃ３…キャリア。
【図１】
0006702665.tif 000002
【図２】
0006702665.tif 000003
【図３】
0006702665.tif 000004
【図４】
0006702665.tif 000005
【図５】
0006702665.tif 000006
【図６】
0006702665.tif 000007
【図７】
0006702665.tif 000008
【図８】
0006702665.tif 000009
【図９】
0006702665.tif 000010
【図１０】
0006702665.tif 000011
【図１１】
0006702665.tif 000012
【図１２】
0006702665.tif 000013
【図１３】
0006702665.tif 000014
【図１４】
0006702665.tif 000015
【図１５】
0006702665.tif 000016